(57)【要約】  第１電気信号を第１光信号に変換する光送信機、第２光信号を第２電気信号に変換する光受信機、および光送信機と光受信機に動作可能に連結されたプロセッシングユニットを含む光トランシーバーを開示する。プロセッシングユニットは、第１光信号の第１波長情報および第２光信号の波長情報を取得し、第１光信号と第２光信号間の波長分離間隔を制御するために第１波長情報と第２波長情報を比較するように構成される。
2017504224.tif 000002
【特許請求の範囲】
【請求項１】
単一の光線路を通じて通信するように構成された光トランシーバーにおいて、
第１電気信号を第１光信号に変換するように構成された光送信機；
第２光信号を第２電気信号に変換するように構成された光受信機；および
前記光送信機および前記光受信機に動作可能に連結されたプロセッシングユニットを含み、
前記プロセッシングユニットは、
前記第１光信号の第１波長情報および前記第２光信号の第２波長情報を取得し、
前記第１光信号と前記第２光信号間の波長分離間隔を制御するために、前記第１光信号の第１波長情報と前記第２光信号の第２波長情報を比較するように構成された、光トランシーバー。
【請求項２】
前記光トランシーバーは波長分割多重化（ＷＤＭ）型技術を支援するように構成された、請求項１に記載の光トランシーバー。
【請求項３】
前記波長分離間隔は前記第１光信号と前記第２光信号の波長間の干渉を減少させるように制御される、請求項１に記載の光トランシーバー。
【請求項４】
前記光トランシーバーは第１波長帯域で前記単一の光線路を通じて遠隔光トランシーバーと通信し、前記第１波長帯域は複数のサブ帯域を含む、請求項１に記載の光トランシーバー。
【請求項５】
前記第１波長情報は前記複数のサブ帯域中の第１サブ帯域を識別し、前記第１サブ帯域は前記第１光信号と関連され、前記第２波長情報は前記複数のサブ帯域中の第２サブ帯域を識別し、前記第２サブ帯域は前記第２光信号と関連された、請求項４に記載の光トランシーバー。
【請求項６】
前記第１波長情報を前記第１電気信号に挿入し、前記第１波長情報を含む前記第１電気信号を前記光送信機に送信するように構成された送信部をさらに含む、請求項１に記載の光トランシーバー。
【請求項７】
前記第２電気信号から前記第２波長情報を取得し、前記第２波長情報を前記プロセッシングユニットに送信するように構成された受信部をさらに含む、請求項１に記載の光トランシーバー。
【請求項８】
前記プロセッシングユニットは、
前記第１波長情報と前記第２波長情報を比較し、前記第１光信号の中心波長と前記第２光信号の中心波長間の波長分離間隔が、少なくともあらかじめ定められた量であるかの可否を判断するように構成された比較部；および
前記比較部による判断に基づいて前記光送信機に波長変更信号を出力するように構成された制御部をさらに含む、請求項１に記載の光トランシーバー。
【請求項９】
前記制御部は、また、以下の式１を満足させるために前記第１光信号の中心波長を制御するように構成され、
【数１】
2017504224.tif 000008
ここでλ１は前記第１光信号の中心波長、λ２は前記第２光信号の中心波長、ＤＩＦＦは前記第１光信号と前記第２光信号間の干渉の最小量のための前記第１光信号と前記第２光信号間の最小波長分離間隔である、請求項８に記載の光トランシーバー。
【請求項１０】
前記制御部は、また、前記光送信機の中心波長が前記第１波長帯域の割り当てられたサブ帯域を外れると判断された場合、前記送信部にエラーメッセージを送信するように構成され、
前記送信部は、また、前記エラーメッセージを前記第１電気信号に挿入するように構成された、請求項４に記載の光トランシーバー。
【請求項１１】
前記第１波長帯域を含む前記複数のサブ帯域に付与されたコードを保存するように構成されたメモリーをさらに含み、
前記制御部は、また、前記光送信機の中心波長に対応するコードを前記送信部に送信するように構成された、請求項４に記載の光トランシーバー。
【請求項１２】
光通信システムにおいて、
第１光信号を送信するように構成された第１光トランシーバー；
前記第１光トランシーバーと通信し、前記第１光トランシーバーに第２光信号を送信するように構成された第２光トランシーバー；および
前記第１光トランシーバーおよび前記第２光トランシーバーに動作可能に接続されるように構成された単一の光線路を含み、
前記第１光トランシーバーは、
第１電気信号を前記単一の光線路を通じて前記第２光トランシーバーに送信される第１光信号に変換するように構成された光送信機；
前記第２光トランシーバーから受信される第２光信号を第２電気信号に変換するように構成された光受信機；および
前記第１光信号の第１波長情報と前記第２光信号の第２波長情報を比較し、前記第１光信号と前記第２光信号間の波長分離間隔を制御するように構成されたプロセッシングユニットを含む、光通信システム。
【請求項１３】
前記第１光トランシーバーは、前記第１波長情報を前記第１電気信号に挿入し、前記第１波長情報を含む前記第１電気信号を前記第１光トランシーバーの光送信機に送信するように構成された送信部をさらに含む、請求項１２に記載の光通信システム。
【請求項１４】
前記第１光トランシーバーと前記第２光トランシーバーはそれぞれ波長分割多重化（ＷＤＭ）型技術を支援するように構成された、請求項１２に記載の光通信システム。
【請求項１５】
前記第１光トランシーバーは第１波長帯域で前記単一の光線路を通じて前記第２光トランシーバーと通信し、前記第１波長帯域は複数のサブ帯域を含む、請求項１２に記載の光通信システム。
【請求項１６】
前記第１波長情報は前記複数のサブ帯域中の第１サブ帯域を識別し、前記第１サブ帯域は前記第１光信号に関連され、前記第２波長情報は前記複数のサブ帯域中の第２サブ帯域を識別し、前記第２サブ帯域は前記第２光信号に関連された、請求項１５に記載の光通信システム。
【請求項１７】
前記第１光トランシーバーは、前記第２電気信号から前記第２波長情報を取得し、前記第２波長情報を前記プロセッシングユニットに送信するように構成された受信部をさらに含む、請求項１３に記載の光通信システム。
【請求項１８】
前記第１光トランシーバーのプロセッシングユニットは、
前記第１波長情報と前記第２波長情報を比較し、前記波長分離間隔が少なくともあらかじめ定められた量であるかの可否を判断するように構成された比較部；および
前記比較部による判断に基づいて前記光送信機に波長変更信号を出力するように構成された制御部をさらに含む、請求項１２に記載の光通信システム。
【請求項１９】
前記制御部は、また、下記の式２を満足するために前記第１光信号の中心波長を制御するように構成され、
【数２】
2017504224.tif 000009
ここで、λ１は前記第１光信号の中心波長、λ２は前記第２光信号の中心波長、ＤＩＦＦは前記第１光信号と前記第２光信号間の干渉の最小量のための最小波長間隔である、請求項１８に記載の光通信システム。
【請求項２０】
前記第１光トランシーバーの制御部は、また、前記第１光送信機の中心波長が割り当てられたサブ帯域から外れると判断された場合、前記第１光トランシーバーの送信部にエラーメッセージを送信するように構成され、
前記第１光トランシーバーの送信部は前記エラーメッセージを前記第１電気信号に挿入するように構成された、請求項１８に記載の光通信システム。
【請求項２１】
前記第１光トランシーバーは、光通信のために割り当てられた波長帯域を分割する複数のサブ帯域に付与されたコードを保存するように構成されたメモリーを含み、
前記制御部は、前記第１光トランシーバーの光送信機の中心波長に対応するコードを前記送信部に送信するように構成された、請求項１８に記載の光通信システム。
【請求項２２】
前記第１光トランシーバーは、受信された前記第２光信号の送信波長により前記第１光信号の初期送信波長を判断するように構成された、請求項１２に記載の光通信システム。
【請求項２３】
前記第１光信号の初期送信波長を式３を満足するように制御され、
【数３】
2017504224.tif 000010
ここで、λｉｎｉｔｉａｌは前記第１光信号の初期中心波長、λ２は前記第２光信号の中心波長、ＤＩＦＦは前記第１光信号と前記第２光信号間の干渉の最小量のための最小波長分離間隔である、請求項２２に記載の光通信システム。
【請求項２４】
前記第１光トランシーバーは、あらかじめ定められた時間の間、エラーがある前記第２光信号が受信されたと判断された場合、前記第１光トランシーバーの送信波長を任意に選択および送信するように構成された、請求項２２に記載の光通信システム。
【請求項２５】
前記光トランシーバーは、前記第２光信号が正常に受信されるときまで、あらかじめ定められた間隔で前記第１光信号の他の波長を変更および送信するように構成された、請求項１に記載の光トランシーバー。
【請求項２６】
前記光トランシーバーは、受信された前記第２光信号の送信波長により前記第１光信号の初期送信波長を判断するように構成された、請求項２５に記載の光トランシーバー。
【請求項２７】
前記第１光信号の初期送信波長は以下の式４を満足するように制御され、
【数４】
2017504224.tif 000011
ここで、λｉｎｉｔｉａｌは前記第１光信号の初期中心波長、λ２は前記第２光信号の中心波長、ＤＩＦＦは前記第１光信号と前記第２光信号間の干渉の最小量のための最小波長分離間隔である、請求項２６に記載の光トランシーバー。
【請求項２８】
前記光トランシーバーは、あらかじめ定められた時間の間、エラーがある前記第２光信号が受信されたと判断された場合、前記第１光トランシーバーの送信波長を任意に選択および送信するように構成された、請求項２６に記載の光トランシーバー。
【請求項２９】
前記第１光トランシーバーは、前記第２光信号が正常に受信されるときまで、あらかじめ定められた間隔で前記第１光信号の他の波長を変更および送信するように構成された、請求項２２に記載の光通信システム。
【発明の詳細な説明】
【技術分野】
【０００１】
３５Ｕ．Ｓ．Ｃ．＄１１９による優先権主張
本出願は、“ＯＰＴＩＣＡＬ  ＴＲＡＮＳＣＥＩＶＥＲ”という名称で２０１３年１２月２日に仮出願した米国仮特許出願第６１／９１０，４９３号である優先権を主張し、その内容の全文は本明細書に参考として援用される。
【０００２】
本発明は、二つの光トランシーバー間に、特に、単一の光ファイバーを通じて同じ波長帯域を使用する二つの光トランシーバー間に波長情報を交換することによって、波長を制御するシステムおよび方法に関するものである。
【背景技術】
【０００３】
光ファイバーを利用するデジタル送信システムは、有線通信分野で広く用いられている。光送信システムでは、時分割多重化（ＴＤＭ）方式が広く用いられてきた。ＴＤＭ方式は、音声データを含むデータを伝達するための多重信号を時分割多重化することによって高速信号を送信する。例えば、ＴＤＭ技術を利用する代表的なシステムは、同期光ネットワーキング（ＳＯＮＥＴ）／同期デジタル階層（ＳＤＨ）光送信システムを含む。
【０００４】
向上された特徴とより多くのデータを要求する応用分野に対する要求が増加するにつれて、ビデオ、データなどの非音声データの量が一般的な音声トラフィックのデータ量をはるかに超過するほどに急激に増加した。これに伴い、最近では、光送信網（ＯＴＮ）型光送信システムが導入され、最大１００Ｇｂｐｓに達する高速送信に具現された。ＯＴＮ型光送信システムの基本形はＴＤＭ型送信技術を含む。
【０００５】
代案として、他の類型の送信技術はデータトラフィック増加で人気を得ており、例えば、波長分割多重化（ＷＤＭ）型基盤技術がある。ＷＤＭ型基盤技術は光通信システムの送信容量を大きく増加させる。ＷＤＭは、レーザー光の互いに異なる波長を用いることによって多数の光キャリア信号を単一の光ファイバーで多重化する技術である。例えば、ＷＤＭ基盤通信システムにおいて、波長帯域を多数の狭い波長帯域に分けた後、狭い波長帯域のそれぞれにデジタル信号を割り当てて送信することができる。
【０００６】
ＷＤＭ基盤技術は、デジタル信号の送信速度とは無関係であるため、数百Ｇｂｐｓ級大容量光送信システムを構築するのに広く用いられてきた。
【０００７】
図１は、中央局２がコア網１に接続される一般的な高密度波長分割多重化（ｄｅｎｓｅ  ｗａｖｅｌｅｎｇｔｈ  ｄｉｖｉｓｉｏｎ  ｍｕｌｔｉｐｌｅｘｉｎｇ；ＤＷＤＭ）光送信網構成の一例を図示する。中央局２と各局舎３、４、５（例えば、基地局３、４、５）は一般的に環状網を形成するように配列される。局舎の数はシステム構成の実際の具現例によって可変され得る。
【０００８】
各基地局３、４、５が一つ以上の遠隔サイトまたは遠隔局と接続されるように構成されると仮定する。例えば、図１において、基地局３は遠隔局６と接続されるように構成される。図２は、局舎３と遠隔局６間のリンクを構成する上で波長を割り当てる方法の一例を図示する。この構成において、送信および受信波長は互いに異なり、したがって、各光トランシーバーは互いに異なる波長で送信と受信を遂行できる。例えば、図２に図示した通り、局舎３は複数の光トランシーバー１１、１２、…１３、Ｎ（例えば、光ＴＲＸ１、光ＴＲＸ２、光ＴＲＸ  Ｎ）を含み、遠隔局６は複数の光トランシーバー２１、２２、２３（例えば、光ＴＲＸ１’、光ＴＲＸ２’、光’ＴＲＸ  Ｎ’）を含む。この例において、局舎３は送信波長λａ、λｂ、…、λｎのセットを使用し、遠隔局６は単一の光ファイバー９を通じて（または光リンクとして用いられる）送信波長λＡ、λＢ、…、λＮの第２セットを使用することができる。その結果、局舎３または遠隔局６の各光トランシーバーの送信および受信波長が互いに異なり、互いに異なる位置に配列された互いに異なる波長帯域に存在し得る。
【０００９】
図３に図示したような他の具現例において、局舎３と遠隔局６の両方は同じ送信波長λａ、λｂ、…、λｎのセットを使用することができる。したがって、局舎３の光トランシーバー１１、１２、１３および遠隔局６の光トランシーバー２１、２２、２３の送信および受信波長がそれぞれ同じ位置に配列される。このような構成は、図２に図示した構成例に比べて、単一の光ファイバー９を通した波長数の減少およびチャネル数の増加などの一部長所を提供する。
【００１０】
しかし、図３に図示した具現例では、局舎３と遠隔局６間の前述した構成で用いられる波長が（例えば、ＤＷＤＭでのように）互いに近く配列され得るため、雑音および波長間の干渉が発生する可能性があり、したがって、光通信システムの性能を劣化させる恐れがある。また、送信および受信波長が外部因子によって変更されるため、送信エラーを有する確率が増加する恐れがある。
【００１１】
このため、上向き信号と下向き信号の波長が外部因子によって互いに近い単一の光ファイバーを使用するＤＷＤＭシステムにおいて、光通信システムの性能を改善する改善された方法が必要である。
【発明の概要】
【発明が解決しようとする課題】
【００１２】
本開示内容は、遠隔光トランシーバーと波長情報を交換することによって波長を制御できる光トランシーバーと光通信システムを提供しようとするものである。
【課題を解決するための手段】
【００１３】
一つの実施形態において、本開示内容は、単一の光線路（例えば、光ファイバー）を通じて通信するように構成された光トランシーバーを提供する。光トランシーバーは、光送信機、光受信機、およびプロセッシングユニットを含む。光送信機は、第１電気信号を第１光信号に変換するように構成される。光受信機は、第２光信号を第２電気信号に変換するように構成される。プロセッシングユニットは、第１光信号の第１波長情報および第２光信号の第２波長情報を取得し、第１光信号と第２光信号間の波長分離間隔を制御するために第１光信号の第１波長情報と第２光信号の第２波長情報を比較するように構成される。
【００１４】
一つの実施形態において、光トランシーバーは波長分割多重化（ＷＤＭ）型技術を支援するように構成される。
【００１５】
一つの実施形態において、波長分離間隔は、第１光信号と第２光信号の波長間の干渉を減少させるように構成される。
【００１６】
他の実施形態において、光トランシーバーは第１波長帯域で単一の光線路を通じて遠隔光トランシーバーと通信し、第１波長帯域は複数のサブ帯域を含む。
【００１７】
一つの実施形態において、光トランシーバーは、第１波長情報を第１電気信号に挿入し、第１波長情報を含む第１電気信号を光送信機に送信するように構成された送信部をさらに含むことができる。
【００１８】
他の実施形態において、光トランシーバーは、第２電気信号から第２光信号の第２波長情報を取得し、取得した第２波長情報をプロセッシングユニットに送信するように構成された受信部をさらに含むことができる。
【００１９】
さらに他の実施形態において、プロセッシングユニットは、第１波長情報と第２波長情報を比較し、第１および第２光信号の中心波長間の波長分離間隔が少なくともあらかじめ定められた量であるかの可否を判断するように構成された比較部を含むことができる。プロセッシングユニットは、比較部による判断に基づいて光送信機に波長変更信号を出力するように構成された制御部をさらに含む。
【００２０】
さらに他の実施形態において、制御部は、第１および第２光信号間の波長分離間隔があらかじめ定められた量より小さい場合、数学式を満足するように第１光信号の中心波長を制御することができる。
【００２１】
【数１】
2017504224.tif 000003
【００２２】
ここで、λ１は第１光信号の中心波長、λ２は第２光信号の中心波長、ＤＩＦＦは第１光信号と第２光信号間の干渉の最小量のための最小波長分離間隔である。
【００２３】
他の実施形態において、制御部は、光送信機の中心波長が第１波長帯域の割り当てられたサブ帯域から外れると判断される場合、エラーメッセージを送信部に送信することができ、送信部はそのエラーメッセージを第１電気信号に挿入することができる。
【００２４】
他の実施形態において、光トランシーバーは、第１波長帯域の複数のサブ帯域に付与されたコードを保存するように構成されたメモリーをさらに含むことができ、制御部は光送信機の中心波長に対応するコードを送信部に送信することができる。
【００２５】
本開示内容の他の具現例は、光通信システムを提供し、光通信システムは、第１光信号を送信するように構成された第１光トランシーバー、第１光トランシーバーと通信して第２光信号を第１光トランシーバーに送信するように構成された第２光トランシーバー、および第１光トランシーバーおよび第２光トランシーバーに動作可能に連結されるように構成された単一の光線路を含む。第１光トランシーバーは、第１電気信号を単一の光線路を通じて第２光トランシーバーに送信される第１光信号に変換するように構成された光送信機、および第２光トランシーバーから受信された第２光信号を第２電気信号に変換するように構成された光受信機を含む。第１光トランシーバーは、第１光信号の第１波長情報と第２光信号の第２波長情報を比較し、第１光信号と第２光信号間の波長分離間隔を制御するように構成されたプロセッシングユニットをさらに含む。
【００２６】
一つの実施形態において、第１光トランシーバーは、第１波長情報を第１電気信号に挿入し、第１波長情報を光送信機に送信するように構成された送信部をさらに含む。
【発明の効果】
【００２７】
本開示内容の例示的な具現例によれば、複数のサブ帯域を含む同じ波長帯域を有する上向き信号と下向き信号間の干渉を減少させるように、光トランシーバーの間に波長情報を交換することによって光信号の送信波長を制御する。
【図面の簡単な説明】
【００２８】
【図１】一般的なＤＷＤＭ光送信網構成の一例を図示する概念図。
【図２】波長分割多重送信システムにおいて波長を割り当てる方法の一例を図示する概念図。
【図３】波長分割多重送信システムにおいて波長を割り当てる方法の一例を図示する概念図。
【図４】本開示内容の一つの実施形態に係る光トランシーバーの一例を図示する概念図。
【図５ａ】本開示内容の一つの実施形態に係る光トランシーバーによって第１光信号と第２光信号の波長が制御される過程を図示する概念図。
【図５ｂ】本開示内容の一つの実施形態に係る光トランシーバーによって第１光信号と第２光信号の波長が制御される過程を図示する概念図。
【図６】本開示内容の一つの実施形態によって波長帯域を複数のサブ帯域に分けることによってコード値を割り当てることを図示する概念図。
【図７】図６によって波長帯域が複数のサブ帯域に分けられた場合、第１および第２光信号の光位置を図示する概念図。
【図８】本開示内容の一つの実施形態に係る光通信システムを図示する概念図。
【図９】本開示内容の一つの実施形態に係る光通信方法の一例のフローチャート。
【図１０】本開示内容の他の実施形態に係る光通信方法の一例のフローチャート。
【発明を実施するための形態】
【００２９】
添付図面に関して後述する詳細な説明は、多様な構成を説明しようとするものであって、本明細書で説明する概念が実施され得る唯一の構成だけを示そうとするものではない。詳細な説明は、本開示内容の多様な概念を完全に理解するための特定詳細を含む。しかし、通常の技術者にとっては、このような概念をこのような特定詳細なしに実施することもできることは明白である。場合によっては、このような概念が曖昧となることを避けるために、公知されている構造および構成要素がブロック図の形態で図示される。
【００３０】
本開示内容は、多様な修正例および多様な例示的な具現例を有することができる。しかし、これは本開示内容を特定の例示的な具現例に限定することなく、本開示内容は、本開示内容の思想と技術範囲内のすべての修正例、均等物、および代替物を含むものと理解されるべきである。
【００３１】
第１、第２などのように、序数を含む用語は多様な構成要素を説明することに用いられ得るが、前記構成要素は前記用語によって限定されない。前記用語は、一つの構成要素を他の構成要素から区別する目的でのみ用いられる。例えば、本発明の権利範囲を逸脱せず、第２構成要素は第１構成要素と命名することができ、同様に第１構成要素も第２構成要素と命名することができる。「および／または」という用語は、複数の関連した記載された項目の組合せまたは複数の関連した記載された項目中のいずれかの項目を含む。
【００３２】
ある構成要素が他の構成要素に「連結されて」いるとか「接続されて」いると言及されたときには、ある構成要素が、該他の構成要素に直接的に連結されているか直接的に接続されていることもあり、または第３要素を通じて該他の構成要素に連結されるか接続されることもあることを理解すべきである。反面、ある構成要素が他の構成要素に「直接連結されて」いるとか「直接接続されて」いると言及されたときには、その要素と該他の要素の間に他の構成要素が存在しないものと理解されるべきである。
【００３３】
本出願で用いられる用語は、単に特定の実施例を説明するために用いられたもので、本発明を限定しようとするのではない。単数の表現は文脈上明白に異なることを意味しない限り、複数の表現を含むことができる。本開示内容において、「含む」または「有する」などの用語は、明細書上に記載された特徴、数字、段階、動作、構成要素、部品またはこれらを組み合わせたものが存在することを指定しようとするものであって、一つまたはそれ以上の他の特徴や数字、段階、動作、構成要素、部品またはこれらを組み合わせたものなどの存在または付加可能性をあらかじめ排除しないものと理解されるべきである。
【００３４】
特に定義しない限り、技術的または科学的な用語を含めて、ここで用いられるすべての用語は本発明が属する技術分野で通常の知識を有した者によって一般的に理解されるのと同じ意味を有している。一般的に用いられる辞書に定義されているような用語は、関連技術の文脈上有する意味と一致する意味を有すると解釈されるべきであり、本出願で明白に定義しない限り、理想的または過度に形式的な意味と解釈されない。
【００３５】
以下、添付された図面を参照して本開示内容の例示的な実施例を詳細に説明するが、図面符号にかかわらず、同一であるか対応する構成要素は同じ参照番号を付与し、これに対する重複する説明は省略する。
【００３６】
図４は、本開示内容の一つの実施形態に係る光トランシーバーの一例を図示する概念図である。図５ａと図５ｂは、本開示内容の一つの実施形態に係る光トランシーバーによって第１光信号と第２光信号の波長が制御される過程を図示する概念図である。
【００３７】
図４を参照すれば、本開示内容に係る光トランシーバー１００は、送信部１２０、光送信機１４０、光受信機１５０、受信部１３０、およびプロセッシングユニット１１０を含む。光トランシーバー１００は、スモールフォームファクタープラグ可能（ＳＦＰ）型であり得るが、特にこれに限定されず、ＭＳＡ（Ｍｕｌｔｉｐｌｅ  Ｓｏｕｒｃｅ  Ａｇｒｅｅｍｅｎｔ）規約に沿って多様な類型の光トランシーバーで具現することができる。
【００３８】
送信部１２０は、第１電気信号１６１を受信して光送信機１４０に出力するように構成される。光送信機１４０は、第１電気信号１６１を第１光信号１６２に変換して第１光信号１６２を外部に送信するように構成される。光受信機１５０は、外部から第２光信号１６３を受信し、受信した第２光信号１６３を受信部１３０に入力される電気信号１６４に変換するように構成される。この場合、第１光信号１６２と第２光信号１６３は、単一の光線路（または光ファイバー）を通じて送信され、本明細書において第１波長帯域ともいう同じ波長帯域を有する。一つの実施形態において、本明細書で用いられる同じ波長帯域は、波長分割多重化（ＷＤＭ）システムの各光トランシーバーに割り当てられた波長帯域であり得る。一例として、１０Ｇｂｐｓ高密度波長分割多重化（ＤＷＤＭ）システムでは、一つの波長帯域に０．８ｎｍの波長幅を割り当てることができ、第１光信号１６２の中心波長と第２光信号１６３の中心波長は０．８ｎｍの範囲内に、例えば、前記一つの波長帯域内に位置することができる。
【００３９】
送信部１２０は、また、電気インタフェース１０１（例えば、電気コネクター）を通じてホストデバイスによってデータ入力信号１６０を受信し、第１光信号１６２の波長（または送信波長）の第１波長情報（Ａ）を第１電気信号１６１（本明細書で第１電気信号１６１に挿入または追加される第１波長情報（Ａ）ともいう）として出力されるデータ信号１６０に挿入するか追加し、第１波長情報（Ａ）を含む第１電気信号１６１を光送信機１４０に送信するように構成される。
【００４０】
受信部１３０は、光受信機１５０から受信される第２電気信号１６４から第２波長情報を取得または抽出し、取得した第２波長情報（Ｂ）をプロセッシングユニット１１０に送信し、データ信号をホスト１６５に送信するように構成される。
【００４１】
プロセッシングユニット１１０は、比較部１１１と制御部１１２を含む。制御部１１２は、光送信機１４０から第１波長情報を抽出することができ、抽出した第１波長情報を送信部１２０に送信することができる。プロセッシングユニット１１０は、第１光送信機１４０、光受信機１５０などの光トランシーバー１００の多様な素子に動作可能に連結される。プロセッシングユニット１１０は、第１光信号１６２の第１波長情報および第２光信号１６３の第２波長情報を取得し、第１光信号１６２および／または第２光信号１６３の波長を制御するために第１光信号１６２の第１波長情報と第２光信号１６３の第２波長情報を比較するように構成される。すなわち、第１光信号１６２と第２光信号１６３の波長は調節することができ、および／または変更された波長情報は、外部（例えば、光トランシーバー１００と通信する遠隔光トランシーバー）に送信することができる。
【００４２】
プロセッシングユニット１１０の比較部１１１は、第１光信号１６２の波長情報（例えば、第１波長情報）および第２光信号１６３の波長情報（例えば、第２波長情報）に基づいて波長分離間隔を比較するように構成される。例えば、比較部１１１は、第１光信号１６２の中心波長と第２光信号１６３の中心波長間の差が、あらかじめ定められた量を満足するかの可否を判断するように、第１波長情報と第２波長情報を比較する。第１および第２波長情報は、第１または第２光信号（１６２または１６３）の中心波長を表す数値を含むことができる。代案として、第１または第２波長情報は、割り当てられた波長帯域内の第１光信号１６２または第２光信号１６３に関連したサブ帯域の表現を含むこともできる。また、プロセッシングユニットの制御部１１２は、該あらかじめ定められた量を満足するために、第１光信号１６２の中心波長と第２光信号１６３の中心波長間の波長分離間隔を制御するように構成される。
【００４３】
本開示内容の一つの実施形態において、割り当てられた波長帯域情報およびあらかじめ定められた量に対する情報は、プロセッシングユニット１１０に連結されたメモリー１１３に保存され得る。本開示内容の一つの実施形態において、メモリー１１３は、波長帯域の複数のサブ帯域にマッピングされたコードを含む表現を保存するように構成される。制御部１１２は、また、第１光トランシーバーまたは第２光トランシーバーの中心波長に対応するコード（例えば、Ｃ）を送信機１４０に送信するように構成される。
【００４４】
前述した通り、波長情報は波長値で限定されないことがあり、波長情報は光信号の波長を特徴化するための多様な情報（例えば、熱電冷却器（ｔｈｅｒｍｏｅｌｅｃｔｒｉｃ  ｃｏｏｌｅｒ；ＴＥＣ）の温度など）を含むことができるものと理解されるべきである。
【００４５】
制御部１１２は、第１および第２光信号１６２、１６３の中心波長間の波長分離間隔があらかじめ定められた量より小さいと判断される場合、波長分離間隔が（後述する）定義された関係を満足することができるように、光送信機１４０に波長変更信号を出力するように構成される。
【００４６】
また、光送信機１４０のＴＥＣ（図示しない）は、光送信機１４０の送信波長を制御するために、波長変更信号に応じて温度を制御するように構成される。
【００４７】
図５ａに図示した通り、第１および第２光信号１６２、１６３の中心波長間の波長分離間隔が外部因子によってあらかじめ定められた量より小さい場合、干渉ビート雑音、熱的雑音など（本明細書で総体的に「信号干渉」と称する）を含む信号干渉が存在する可能性があり、光通信の性能を劣化させる恐れがある。このような場合に、取得した第１および第２光信号の波長情報に基づいて波長分離間隔を適切に制御することによって、信号干渉を除去または減少させることができる。例えば、図５ｂに図示した通り、プロセッシングユニット１１０を通じて、同じ波長帯域１６５内で第１および第２光信号１６２、１６３間の波長分離間隔を増加させることによって、例えば、ｄ１からｄ２に増加させることによって、波長の近接による信号干渉を減少させることができる。
【００４８】
また、データ信号１６０がイーサネット（登録商標）信号であれば、送信部１２０は第１波長情報をＯＡＭ（ｏｐｅｒａｔｉｏｎｓ、ａｄｍｉｎｉｓｔｒａｔｉｏｎ、ａｎｄ  ｍａｎａｇｅｍｅｎｔ）パケットとして生成し、生成したＯＡＭパケットをペイロードの間に挿入することができる。一例として、生成したＯＡＭパケットをトラフィックの少ない区間で挿入および送信することができる。代案として、第１波長情報は、別途の送信フレームを設計した後、オーバーヘッド信号を利用することによって送信することができる。
【００４９】
本開示内容によれば、光トランシーバー１００は、送信波長を能動的に可変できるので、上向き信号と下向き信号間の信号干渉を最小化することができる。したがって、システム端（例えば、コントロールタワー）で波長を制御するように光トランシーバーの波長を遠隔監視する機能は通常の技術者に自明であるので、その説明を省略することができる。
【００５０】
しかし、具体的に、制御部１１２は下記の式１によって光送信機１４０の波長（例えば、中心波長）を制御することができる。
【００５１】
【数２】
2017504224.tif 000004
【００５２】
ここでλ１は第１光信号１６２の中心波長、λ２は前記第２光信号１６３の中心波長、ＤＩＦＦは第１光信号１６２と第２光信号１６３間の干渉の最小量のための第１光信号１６２と第２光信号１６３間の最小波長分離間隔である。ＤＩＦＦは、割り当てられた波長帯域の１／２であると判断することができるが、必ずしもこれに限定されず、実験評価結果に基づいて適切に修正することができる。代案として、ＤＩＦＦは１／Ｎに設定することができ、ここで、Ｎは、割り当てられた波長帯域およびデータ信号の送信速度（例えば、ビット率）を考慮することによって決定することができる。
【００５３】
例えば、１０Ｇｂｐｓ  ＤＷＤＭシステムの場合に、１０Ｇｂｐｓ  ＤＷＤＭシステムのための一つの波長帯域が約０．８ｎｍの波長幅に設定され得るので、複数の光トランシーバーのうち任意の一つの光トランシーバーの波長帯域は１５５０．０ｎｍから１５５０．８０ｎｍに割り当てられ得る。この例において、ＤＩＦＦは０．４ｎｍと設定され、第１光信号１６２の中心波長は１５５０．２０ｎｍと設定され、第２光信号１６３の中心波長は１５５０．６０ｎｍとあらかじめ設定され得る。本開示内容によれば、第２光信号１６３の中心波長が外部因子によって１５５０．５０ｎｍに変更されると、信号干渉を最小化するように、前記式１により第１光信号１６２の中心波長が１５５０．１０ｎｍに変更され得る。他の一つの実施形態において、第１光信号１６２の中心波長は、式１を満足するように適応的に変更され得る。
【００５４】
場合によっては、式１によって変更される第１光信号１６２の波長は、割り当てられた波長帯域から外れることも有り得る。すなわち、前記例において、第１光信号１６２の波長が１５５０．０ｎｍ以下に変更されると、隣り合う波長帯域と信号干渉が発生する可能性がある。このような場合に、制御部１１２は第１光信号１６２の波長を変更することなく、かえって光送信機１４０の変更された波長が割り当てられた波長帯域から外れるとのエラーメッセージを遠隔光トランシーバーに通知するように、エラーメッセージを送信部１２０に送信する。送信部１２０は、エラーメッセージをデータ入力信号１６０に挿入し、相手側の遠隔光トランシーバーに送信するエラーメッセージを含む第１電気信号１６１を出力する。
【００５５】
相手側遠隔光トランシーバーがエラーメッセージを受信すると、相手側遠隔光トランシーバーは、前記式１によって自分の固有な送信波長、例えば、第２光信号１６３の中心波長を変更することができ、変更された送信波長に関する波長情報を送信することができる。また、波長が波長帯域から外れる場合のように実験によって閾値を決めることができる。
【００５６】
代案として、多重サブ帯域の場合に、第１光信号の選択された波長が最終サブ帯域または最初サブ帯域にある場合、これは第１光信号の選択された波長が波長帯域のエッジに位置し、最小波長分離間隔または間隙を保障するように第１光波長が変更されないことを意味する。そのような場合、光トランシーバーはエラーメッセージを生成して相手側遠隔光トランシーバーに送信し、これによって、相手側遠隔光トランシーバーは波長分離間隔を確認するために他のサブ帯域を選択する。
【００５７】
また、本開示内容は、第１光信号１６２または第２光信号１６３の波長を変更することに具体的に限定されず、互いに通信する一対の光トランシーバーすべては、式１により自分の波長を変更することができる。一例として、第１光信号１６２の波長は１５５０．２０ｎｍと設定することができ、第２光信号１６３の波長は１５５０．６０ｎｍと設定することができるが、第１光信号１６２の波長が１５５０．３０ｎｍに変更され第２光信号１６３の波長が１５５０．５０ｎｍに変更されると、各光信号の波長はあらかじめ定められた波長にそれぞれ変更され得る。
【００５８】
図６は、本開示内容の一つの実施形態によって波長帯域を複数のサブ帯域に分けることによって、コード値を割り当てることを図示する概念図である。図７は、図６によって波長帯域が複数のサブ帯域に分けられた場合、第１および第２光信号の光位置を図示する概念図である。
【００５９】
波長情報は、相手側光トランシーバーに送信されるデータであるため、効率的なデータ送信を多様に行うことができる。本開示内容の一つの実施形態において、第１波長情報は、波長帯域から複数のサブ帯域のうち第１サブ帯域を識別し、第１サブ帯域は第１光信号に関連される。すなわち、第１サブ帯域は送信のために第１光信号に付与される。また、第２波長情報は、波長帯域から複数のサブ帯域のうち第２サブ帯域を識別し、第２サブ帯域は第２光信号に関連される。すなわち、第２サブ帯域は送信のために第２光信号に付与される。一つの実施形態において、波長値が１５５０．１０ｎｍであれば、その波長値の整数部分と小数部分のすべてを送信するためには、少なくとも２バイト以上を伝達しなければならない。したがって、パッケージの大きさを最小化するように、波長情報が波長値より小さい情報に変換されると、送信容量を減少させることができる。一例として、割り当てられた波長帯域を複数のサブ帯域に分けることができ、コード値を送信のための各サブ帯域に付与することができる。
【００６０】
一つの実施形態において、図５に図示した通り、一つの波長帯域（例えば、０．８ｎｍ）を複数のサブ帯域（例えば、それぞれが０．０５ｎｍを占める、１６個のサブ帯域または等分）に分けることができ、０〜１５の整数値を１６個のサブ帯域に順次付与することができる。複数のサブ帯域は１６等分に限定されず、特定システムの構成時にサブ帯域の数を決定することができるという点に注目する。１６個のサブ帯域の場合、４ビットだけで波長情報を確認することができるので、パケットの大きさを減少させることができる。特に、次に従うビットパターンを複数のサブ帯域に付与することができるが、すなわち、００００（ビットパターン）を０（サブ帯域番号）に、０００１を１に、００１０を２に、００１１を３に、０１００を４に、０１０１を５に、０１１０を６に、０１１１を７に、１０００を８に、１００１を９に、１０１０を１０に、１０１１を１１に、１１００を１２に、１１０１を１３に、１１１０を１４に、１１１１を１５に付与することができる。
【００６１】
１０Ｇｂｐｓ  ＤＷＤＭシステムの場合、一つの波長帯域の幅は約０．８ｎｍであるため、前述した通り、１６個の各サブ帯域間の間隔は０．０５ｎｍとなる。各サブ帯域の幅が約０．０５ｎｍであると仮定する場合、２個の送信波長の最適位置は次のように決定され得る。
【００６２】
同じ波長帯域を使用することによって２個の光信号が同時に送信されるのであれば、最適位置は、２個の波長の最小波長分離間隔がＤＩＦＦと設定された場合、その光信号が対応する波長帯域の中心からＤＩＦＦ／２だけ分離される位置であり得る。ここで、最適位置は、波長間干渉または信号干渉が最小化され、その結果、同じ波長帯域で２個の送信波長を使用して通信を遂行する場合、送信エラーが減少する位置を表す。
【００６３】
波長帯域の有効幅をＷＩＤＴＨとし、サブ帯域の個数をＮＵＭとすると、サブ帯域当たりの波長幅は、ＷＩＤＴＨ／ＮＵＭである。また、対応する波長帯域の中心位置はＮＵＭ／２である。これによって、後述する第１光信号１６２の最適位置Ｎｏｐｔおよび第２光信号１６３の最適位置Ｐｏｐｔは、下記の式２および式３によって決定され得る。
【００６４】
【数３】
2017504224.tif 000005
【００６５】
【数４】
2017504224.tif 000006
【００６６】
ここで、ａは、１≦ａ≦４を満足する。好ましくは、ａは２であり得る。
【００６７】
ＮＵＭ＝１６、ＤＩＦＦ＝６であれば、図７に図示した通り、２個の波長の最適位置はそれぞれ５と１１であることが分かる。波長情報が前述した通り、単純整数として処理されると、実際の波長値を使用して計算を行うことと比べて比較が容易となる。
【００６８】
２個の波長（または第１光信号と第２光信号の中心波長）間の最小波長分離間隔ＤＩＦＦおよびサブ帯域の個数ＮＵＭは、実際の動作の間、あらかじめ定められるので、その値を利用して２個の波長の位置を調節することができる。一例として、図７に図示した通り、初期化過程以降を通じて２個の波長１７１、１７３がそれぞれ５と１１に位置する場合に、ＮＵＭが１６と設定されＤＩＦＦが６と設定されると仮定する。いま、一部の原因により波長変化が発生すると仮定すると、すなわち、５に位置する波長１７１が７に移動すると、２個の波長の実際の波長分離間隔は６（初期値）から４（例えば、１１−７＝４）に減少する。この例において、ＤＩＦＦ＝６に維持できるので、１１に位置する波長１７３が１３に移動し、これによって、エラーのない送信が可能となる。
【００６９】
本開示内容では、波長情報を整数に変換して変換された整数を処理する方法を一例として説明した。多様な他の方法によって波長分離間隔に関する情報を多様な形態でエンコーディングして比較することができる。ＴＥＣ温度値などの他の情報を利用して波長情報を推定することができ、該他の情報に基づいて、波長分離間隔を考慮して最適な波長位置を決めることができる。
【００７０】
図８は、本開示内容の一つの実施形態に係る光通信システムを図示する概念図である。図７に図示した通り、本開示内容の一つの実施形態に係る光通信システム８００は、第１光トランシーバー１００、第２光トランシーバー２００、およびこれら間に接続された単一の光線路３００を含む。第１および第２光トランシーバー１００、２００は、それぞれプロセッシングユニット１１０、２１０を含む。第１光トランシーバー１００と第２光トランシーバー２００は実質的に類似の構成を有しているので、その詳細な説明を省略する。
【００７１】
第１光トランシーバー１００と第２光トランシーバー２００は、各自の固有波長情報をアイドル（ｉｄｌｅ）区間に挿入して送信することができる。したがって、第１光トランシーバー１００と第２光トランシーバー２００のそれぞれは、自分の固有波長情報を相手側光トランシーバーの波長情報と比較することができる。
【００７２】
波長情報が変更される場合、光トランシーバー１００、２００のそれぞれは、前述した通り、式１〜式３によって自分の固有波長を可変することができる。波長変更の場合、第１光トランシーバー１００と第２光トランシーバー２００のうち相手側の波長からの間隔を認識する光トランシーバーが自分の波長情報を先に変更することができる。
【００７３】
相手側光トランシーバーの波長が変更されたことを認識する光トランシーバーが自分の固有波長を変更する代わりに、エラーメッセージを相手側光トランシーバーに送信することができる。この場合、相手側光トランシーバーは、自分の光送信機のＴＥＣを制御することによって波長を制御することができる。しかし、相手側光トランシーバーがエラーメッセージにかかわらず、同じ波長を有する光信号を繰り返し送信すれば、相手側光トランシーバーが自分の固有波長を変更することができる。
【００７４】
図９は、本開示内容の一つの実施形態に係る光通信方法の一例のフローチャートである。図１０は、本開示内容の他の実施形態に係る光通信方法の一例のフローチャートである。図９と図１０は、第１および第２光トランシーバーに電源が印加される場合に初期通信状態で波長が可変される例示的な技術を図示する。
【００７５】
図９に図示した通り、Ｓ１０で電源が印加されると、光トランシーバーはＳ２０での送信開始前に先に自分の受信状態を確認する。すなわち、光トランシーバーの受信状態を判断して、受信状態が正常であれば、相手側光トランシーバー（または遠隔光トランシーバー）から送信される波長情報を取得して相手側光トランシーバーの送信波長を判断することができる。Ｓ２５では、取得した相手側光トランシーバーの波長情報に基づいて、光トランシーバーが前述した方法により送信波長を選択する。Ｓ３０では、光トランシーバーが選択された送信波長を利用して送信を開始する。
【００７６】
代案として、光トランシーバーは下記の式４を利用することによって、割り当てられる波長帯域にある自分の固有送信波長を決定することができる。
【００７７】
【数５】
2017504224.tif 000007
【００７８】
ここで、λｉｎｉｔｉａｌは第１光信号の初期中心波長、λ２は受信された第２光信号の中心波長、ＤＩＦＦは第１光信号と第２光信号間の信号干渉が発生しない最小波長間隔である。DIFFは、割り当てられた波長帯域の１／２と決定され得るが、必ずしもこれに限定されず、実験評価結果に基づいて任意の値で適切に修正されることもある。
【００７９】
一方、Ｓ２０において、初期電源の印加後、受信状態に障害が発生すると、相手側光トランシーバーから送信される波長情報を得られないこともあるので、Ｓ２１で、光トランシーバーは送信開始のためにあらかじめ定められた波長を選択することができる。
【００８０】
その後、Ｓ４０で、あらかじめ定められた時間が経過した後、光トランシーバーの受信状態を再び確認して受信状態が正常であるかの可否を判断する。障害発生時（例えば、受信状態が正常でない場合）、相手側光トランシーバーの送信波長と光トランシーバーの送信波長が実質的に同じ位置にあり得るので、Ｓ４１で、光トランシーバーは、自分の固有送信波長をあらかじめ定められた波長に再び変更した後、あらかじめ定められた波長を利用して送信を行う。
【００８１】
また、前記各過程（Ｓ４０とＳ４１）の繰り返し動作によって、相手側光トランシーバーの送信波長と光トランシーバーの送信波長がそれぞれ異なる位置に位置することができ、その結果、何度か過程を繰り返した後で、光トランシーバーの正常な受信状態を取得することができる。
【００８２】
このようにすることにおいて、光トランシーバーは、本明細書で説明する方法により自分の固有波長情報および相手側光トランシーバーの波長情報を受信し、前述した式１〜式３中の任意の式を利用することによって、自分の固有波長情報と相手側光トランシーバーの波長情報を比較して最適位置にある光トランシーバーおよび／または相手側光トランシーバーの送信波長を選択する。Ｓ４０で、光トランシーバーが正常な受信状態にあると判断されると、Ｓ４２で、光トランシーバーは、光トランシーバーの選択された送信波長を固定するか維持する。
【００８３】
代案として、光トランシーバー（または第１光トランシーバー）は、相手側光トランシーバーからの第２光信号があらかじめ定められた時間の間、エラーと共に受信されたと判断される場合、第１光トランシーバーの送信波長を任意に選択および送信するように構成される。
【００８４】
代案として、光トランシーバーは、相手側光トランシーバーからの第２光信号が正常に受信されるときまで、あらかじめ定められた間隔で第１光信号の他の波長を変更および送信するように構成される。
【００８５】
このような波長制御技術は、互いに通信している光トランシーバーの間にも適用することができる。例えば、通信可能範囲で波長が変更される場合、前述した式１〜式３中の任意の式を利用することによって波長を可変することができるが、（例えば、光通信リンクの品質の劣化、信号干渉などにより）通信が不可能な場合、あらかじめ定められた波長を選択および送信することができる。
【００８６】
本開示内容の一つの実施形態によって光トランシーバーを初期化する他の方法が図９に図示されている。図８と類似の段階（例えば、Ｓ１０〜Ｓ３０）に沿って初期波長選択を行うことができる。図９に図示した通り、Ｓ４０で、Ｓ３０で送信を開始した後、受信状態が正常であれば、Ｓ４２で、光トランシーバーは送信波長を固定するか維持する。また、光トランシーバーの送信波長は、最適位置に対する光トランシーバーの送信波長を制御するように前述した式１〜式３中の一つによる手順を遂行することによって維持される。
【００８７】
しかし、Ｓ４０で受信状態に障害があると判断される場合、Ｓ５０で、光トランシーバーは送信を中断する。その後、光トランシーバーは、ランダムバックオフタイマー（例えば、ランダムに選択されたタイマー）がＳ５１で満了するときまで待機する。ランダムバックオフタイマーの満了時、光トランシーバーは送信を再開し、光トランシーバーの受信状態が正常であるかの可否を判断する。すなわち、光トランシーバーはあらかじめ定められた時間の間、待機状態に留まった後、受信状態を再び検査する。
【００８８】
このような過程を繰り返すと、相互接続された２個の光トランシーバー１００中の任意の一つが送信を遂行することができ、残りの一つが送信中断状態にいることができ、その結果、送信中断状態にある光トランシーバー１００は、相手側光トランシーバーの波長情報を正常に受信することができる。その後、光トランシーバーはその情報に基づいて波長を選択することができ、送信を再開することができる。
【００８９】
本開示内容では、説明の便宜上、高密度波長分割多重化（ＤＷＤＭ）方式を説明したが、本開示内容はこれに限定されず、本明細書で説明する技術を波長分割多重化（ＷＤＭ）、ＣＷＤＭ（ＣＷＤＭ）、時分割多重化（ＴＤＭ）などを含む多様な類型の技術に同様に適用できることは明白である。
【００９０】
本開示内容の多様な実施形態は一つ以上のプロセッサによって具現することができる。例えば、図４と図８に図示したような送信部１２０、光トランシーバー１４０、光受信機１５０、受信部１３０、プロセッシングユニット１１０、２１０は、任意の個数の相互接続バスとブリッジおよびバスを含むことができるバスアーキテクチャで具現することができる。バスは、一つ以上のプロセッサ、メモリー、非一時的コンピュータ可読媒体を含む多様な回路を共にリンクする。一つ以上のプロセッサは、非一時的コンピュータ可読媒体に保存されたソフトウェアの実行をはじめとしてバス管理および汎用処理を担当する。ソフトウェアは、一つ以上のプロセッサによって実行されると、その一つ以上のプロセッサが任意の特定装置のために本明細書で説明した多様な機能を遂行するようにする。非一時的コンピュータ可読媒体も、ソフトウェア実行時に一つ以上のプロセッサによって操作されるデータを保存するのに使用され得る。
【００９１】
本明細書で用いられる、「ソフトウェア」という用語は、ソフトウェア、ファームウェア、ミドルウェア、マイクロコード、ハードウェア記述言語などと称することにかかわらず、命令語、命令語セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、機械可読コード、実行文、実行スレッド、プロシーザー、関数などを意味するものと広く解釈されるべきである。ソフトウェアは、非一時的コンピュータ可読媒体に常駐することができる。非一時的コンピュータ可読媒体は、例えば、自分の保存デバイス、光ディスク、デジタル多用途ディスク、スマートカード、フラッシュメモリデバイス、ＲＡＭ、ＲＯＭ、プログラマブルＲＯＭ、ＥＰＲＯＭ、ＥＥＰＲＯＭ、レジスター、取り外し可能ディスク、およびプロセッサやコンピュータによってアクセスおよび判読され得るソフトウェアおよび／または命令語を保存するための他の任意の適切な媒体を含む。通常の技術者であれば、全体システムに付与される全体設計制約および特定応用分野に応じて、本開示内容の全体にかけて提示される前述した機能を最もよく具現する方式を認識できるであろう。
【００９２】
本明細書の多様な例示的な実施例で用いられる、「部」という用語は、ソフトウェアまたはＦＰＧＡ（ｆｉｅｌｄ−ｐｒｏｇｒａｍｍａｂｌｅ  ｇａｔｅ  ａｒｒａｙ）、ＡＳＩＣ、ロジックアレイ、ＤＳＰ、マイクロ・プロセッサなどのハードウェア構成要素を意味し、「部」は、あらかじめ定められた役割を遂行する。しかし、「部」は、ソフトウェアまたはハードウェアに限定される意味ではない。「部」とは、アドレッシングできる保存媒体にあるように構成されることもでき、一つまたはそれ以上のプロセッサを再生させるように構成されることもできる。したがって、一例として、「部」とは、ソフトウェア構成要素、オブジェクト指向ソフトウェア構成要素、クラス構成要素およびタスク構成要素のような構成要素、プロセス、関数、属性、プロシーザー、サブルーチン、プログラムコードのセグメント、ドライバー、ファームウェア、マイクロコード、回路、データ、データベース、データ構造、テーブル、アレイ、および変数を含む。各構成要素と、各「部」から提供される機能は、さらに少ない個数の構成要素および、「部」で連結されることもでき、または追加的な構成要素と「部」で分離されることもできる。また、構成要素および「部」は、デバイス内の一つ以上のＣＰＵを再生させるように具現することもできる。
【００９３】
簡略な説明のために、方法を一連の動作で図示して説明したが、他の動作が互いに異なる順序および／または本明細書で図示して説明した動作とは異なる動作と共に同時に発生することもあり得るので、特許請求の対象が動作の順序によって限定されないと認識および理解されるべきである。例えば、通常の技術者は、代案として、方法が例えば、状態図での一連の相関された状態またはイベントとして表現され得ることを認識および理解できるであろう。さらに、特許請求の対象によっては、方法を具現するために、例示したすべての動作を必要としないこともあり得る。また、以下で本明細書全体にかけて開示される方法が、このような方法をコンピュータに伝達し移送することを容易にするように、製造物品に保存され得ることを理解しなければならない。本明細書で用いられる製造物品という用語は、任意のコンピュータ可読デバイス、キャリア、または媒体からアクセス可能なコンピュータプログラムを含もうとするものである。
【００９４】
本開示内容を好ましい実施例を参照して詳細に説明した。しかし、通常の技術者であれば、特許請求の範囲および均等物で定義される思想と領域から逸脱しない範囲内で多様な修正および変更を加えることができることを理解できるであろう。
【符号の説明】
【００９５】
１  コア網
２  中央局
３、４、５  局舎
６  遠隔サイト／遠隔局
１１、１２、１３、２１、２、２３  光ＴＲＸ
【図１】
2017504224.tif 000012
【図２】
2017504224.tif 000013
【図３】
2017504224.tif 000014
【図４】
2017504224.tif 000015
【図５Ａ】
2017504224.tif 000016
【図５Ｂ】
2017504224.tif 000017
【図６】
2017504224.tif 000018
【図７】
2017504224.tif 000019
【図８】
2017504224.tif 000020
【図９】
2017504224.tif 000021
【図１０】
2017504224.tif 000022
【国際調査報告】
2017504224.tif 000023